(57)【要約】【課題】  最新のデジタルカメラ本体に名器といわれる古くからの交換レンズを装着する場合でもピント合わせを容易かつ確実に行えるようにする。【解決手段】  被写体画像Ａを表示する表示部３ａ，３ｂを有するデジタルカメラ本体２を備える交換レンズ式デジタルカメラ１であって、デジタルカメラ本体２に設けることにより表示部３ａ，３ｂに表示される被写体画像Ａの一部Ａｐを拡大表示する一部拡大表示機能部Ｆｅと、デジタルカメラ本体２に装着されたマニュアル操作タイプの交換レンズ４におけるフォーカスリング５の少なくとも回動変位の有無を検知する変位検知部６を有する検出機能部Ｆｄと、変位検知部６による回動変位の検知により拡大表示を行い、かつ回動変位の無検知により拡大表示を解除する制御機能部Ｆｃを備える。【選択図】  図１
2010197640.tif 000002
【特許請求の範囲】
【請求項１】
被写体画像を表示する表示部を有するデジタルカメラ本体を備える交換レンズ式デジタルカメラにおいて、前記デジタルカメラ本体に設けることにより前記表示部に表示される被写体画像の一部を拡大表示する一部拡大表示機能部と、前記デジタルカメラ本体に装着されたマニュアル操作タイプの交換レンズにおけるフォーカスリングの少なくとも回動変位の有無を検知する変位検知部を有する検出機能部と、前記変位検知部による前記回動変位の検知により前記拡大表示を行い、かつ前記回動変位の無検知により前記拡大表示を解除する制御機能部を備えることを特徴とする交換レンズ式デジタルカメラ。
【請求項２】
前記表示部には、ビューファインダ部及び／又はモニタ表示部を含むことを特徴とする請求項１記載の交換レンズ式デジタルカメラ。
【請求項３】
前記マニュアル操作タイプの交換レンズと前記デジタルカメラ本体間に介在させることにより前記交換レンズを前記デジタルカメラ本体に着脱するマウントアダプタを備えることを特徴とする請求項１記載の交換レンズ式デジタルカメラ。
【請求項４】
前記検出機能部は、前記デジタルカメラ本体又は前記マウントアダプタに配設し、かつフォーカスリングの回動変位に対応する背面カムの位置を検出する位置検出器を備えることを特徴とする請求項１又は３記載の交換レンズ式デジタルカメラ。
【請求項５】
前記検出機能部は、前記位置検出器により検出した前記フォーカスリングの位置に基づき被写体までの距離に係わる距離データを得る距離検出部を備えることを特徴とする請求項４記載の交換レンズ式デジタルカメラ。
【請求項６】
前記距離データは、距離の表示及び／又は距離に基づくストロボの制御に用いることを特徴とする請求項５記載の交換レンズ式デジタルカメラ。
【請求項７】
前記検出機能部は、前記フォーカスリングの回動変位の無検知に対して一定の遅延時間の経過を待って前記無検知を有効にする機能を備えることを特徴とする請求項１〜５記載の交換レンズ式デジタルカメラ。
【請求項８】
前記検出機能部は、前記フォーカスリングの回動変位の速度を検出する変位速度検出機能を備え、かつ前記一部拡大表示機能部は、複数の拡大倍率により拡大表示可能な拡大表示機能を備えるとともに、前記制御機能部は、前記回動変位の速度が速いときに前記拡大倍率を小さくし、かつ前記回動変位の速度が遅いときに前記拡大倍率を大きくする倍率変更機能を備えることを特徴とする請求項１〜７のいずれかに記載の交換レンズ式デジタルカメラ。
【請求項９】
前記デジタルカメラ本体は、コントラスト方式の焦点調整機能を備えるとともに、この焦点調整機能における焦点調整用コントラスト信号の変化を利用することにより、前記フォーカスリングの操作時の状態を複数のマークの点灯制御により前記表示部に表示するフォーカスエイド表示機能部を備えることを特徴とする請求項１〜８のいずかに記載の交換レンズ式デジタルカメラ。
【発明の詳細な説明】
【技術分野】
【０００１】
本発明は、被写体画像を表示する表示部を有するデジタルカメラ本体を備える交換レンズ式デジタルカメラに関する。
【背景技術】
【０００２】
従来、デジタルカメラ本体に対して交換レンズを着脱できるようにした交換レンズ式デジタルカメラは知られている。
【０００３】
例えば、特許文献１には、交換レンズが着脱自在であり、シャッタが設けられたカメラ本体と、交換レンズがカメラ本体に装着されているか否かを検出する交換レンズ検出手段と、交換レンズ検出手段が、交換レンズがカメラ本体から解放されていることを検出した状態において、シャッタの開閉動作を制限するシャッタ制御手段を備えるレンズ交換式一眼レフ型デジタルカメラが開示され、また、特許文献２には、被写体像を光電変換して電子的画像信号を得るための撮像素子、該撮像素子によって得られた電子画像信号を信号処理する信号処理回路、該信号処理回路から出力された画像信号を表示する表示器、装着レンズの仕様又は種類を判別する判別手段、該判別手段の判別結果に応じて表示器に表示するスルー画像に合成表示する合成用画像を選択する選択手段を有する撮影レンズが交換可能なデジタルカメラが開示されている。
【先行技術文献】
【特許文献】
【０００４】
【特許文献１】特開２００３−１５３０５０号公報
【特許文献２】特開２００７−０３６９８３号公報
【発明の概要】
【発明が解決しようとする課題】
【０００５】
しかし、上述した従来における交換レンズ式デジタルカメラは、次のような問題点があった。
【０００６】
第一に、交換レンズにはズーミング調整やオートフォーカスのための駆動モータを内蔵するとともに、この駆動モータの制御はカメラ本体に備えるシステムコントローラにより行うため、カメラ本体を製造するメーカーサイドにおいてカメラ本体専用の交換レンズを用意する必要があり、専用の交換レンズ以外の交換レンズはほとんど利用できない。一方、古くから使用されているマニュアル操作タイプの交換レンズには、現在でも名器といわれるようなレンズ性能の高い交換レンズも多く、しかも、この種の交換レンズはほとんど劣化することがないため、このような交換レンズを最新のデジタルカメラ本体に使用したいという要望も少なくない。しかし、マニュアル操作タイプの交換レンズは、自動調整、特に、オートフォーカスを利用できないため、ピント合わせが難点となる。
【０００７】
第二に、専用の交換レンズ以外の交換レンズを使用する場合、デジタルカメラ本体と交換レンズは、基本的に独立した存在となるため、デジタルカメラ本体は、交換レンズの情報をほとんど得ることができない。したがって、デジタルカメラ本体にとっては交換レンズを十分に生かし切ることができず、特に、フラッシュ撮影などにおいて最適な撮影を行うことができない難点があった。
【０００８】
本発明は、このような背景技術に存在する課題を解決した交換レンズ式デジタルカメラの提供を目的とするものである。
【課題を解決するための手段】
【０００９】
本発明は、上述した課題を解決するため、被写体画像Ａを表示する表示部（３ａ，３ｂ）を有するデジタルカメラ本体２を備える交換レンズ式デジタルカメラ１を構成する際して、デジタルカメラ本体２に設けることにより表示部（３ａ，３ｂ）に表示される被写体画像Ａの一部Ａｐを拡大表示する一部拡大表示機能部Ｆｅと、デジタルカメラ本体２に装着されたマニュアル操作タイプの交換レンズ４におけるフォーカスリング５の少なくとも回動変位の有無を検知する変位検知部６を有する検出機能部Ｆｄと、変位検知部６による回動変位の検知により拡大表示を行い、かつ回動変位の無検知により拡大表示を解除する制御機能部Ｆｃを備えることを特徴とする。
【００１０】
この場合、発明の好適な態様により、表示部（３ａ，３ｂ）には、ビューファインダ部３ａ及び／又はモニタ表示部３ｂを含ませることができる。また、マニュアル操作タイプの交換レンズ４をデジタルカメラ本体２に着脱する際には、交換レンズ４とデジタルカメラ本体２間にマウントアダプタ１１を介在させることができる。一方、検出機能部Ｆｄには、デジタルカメラ本体２又はマウントアダプタ１１に配設することにより、フォーカスリング５の回動変位に対応する背面カム５ｃの位置を検出する位置検出器１２を設けることができる。また、検出機能部Ｆｄには、位置検出器１２により検出したフォーカスリング５の位置に基づき被写体までの距離に係わる距離データＤｗを得る距離検出部１３を設けることができ、この距離データＤｗは、距離の表示及び／又は距離に基づくストロボの制御に用いることができる。さらに、検出機能部Ｆｄには、フォーカスリング５の回動変位の無検知に対して一定の遅延時間Ｔｒの経過を待って無検知を有効にする機能を設けることができる。加えて、検出機能部Ｆｄには、フォーカスリング５の回動変位の速度Ｖｒを検出する変位速度検出機能を設け、かつ一部拡大表示機能部Ｆｅに、複数の拡大倍率により拡大表示可能な拡大表示機能を設けるとともに、制御機能部Ｆｃに、回動変位の速度Ｖｒが速いときに拡大倍率を小さくし、回動変位の速度Ｖｒが遅いときに拡大倍率を大きくする倍率変更機能を設けることができる。他方、デジタルカメラ本体２には、コントラスト方式の焦点調整機能を設けるとともに、この焦点調整機能における焦点調整用コントラスト信号の変化を利用することにより、フォーカスリング５の操作時の状態を複数のマーク１４ｐ，１５，１４ｑの点灯制御により表示部３ａ，３ｂに表示するフォーカスエイド表示機能部Ｆｆを設けることができる。
【発明の効果】
【００１１】
このような構成を有する本発明に係る交換レンズ式デジタルカメラ１によれば、次のような顕著な効果を奏する。
【００１２】
（１）  任意のメーカーにおける最新のデジタルカメラ本体２に、名器といわれるような古くからのマニュアル操作タイプの交換レンズ４を装着する場合であっても、交換レンズ４におけるフォーカスリング５の操作に連動させてデジタルカメラ本体２における一部拡大表示機能部Ｆｅを制御するようにしたため、一部拡大表示機能部Ｆｅを利用したピント合わせを容易かつ確実に行うことができる。
【００１３】
（２）  好適な態様により、マニュアル操作タイプの交換レンズ４とデジタルカメラ本体２間に介在させることにより交換レンズ４をデジタルカメラ本体２に着脱するマウントアダプタ１１を使用すれば、交換レンズ４とデジタルカメラ本体２の組合わせを飛躍的に拡大させることができるとともに、本来、デジタルカメラ本体２側に追加する部品をマウントアダプタ１１に配することができるため、デジタルカメラ本体２側はソフトウェア上の変更のみで実施可能になるなど、より実施の容易化を図ることができる。
【００１４】
（３）  好適な態様により、検出機能部Ｆｄに、マウントアダプタ１１又はデジタルカメラ本体２に配設し、かつフォーカスリング５の回動変位に対応する背面カム５ｃの位置を検出する位置検出器１２を設ければ、フォーカスリング５の位置や速度（位置を微分）を容易かつ確実に検出できるとともに、特に、マウントアダプタ１１に配設した場合には、位置検出器１２の種類に対する選定や配設時の自由度を高めることができる。
【００１５】
（４）  好適な態様により、検出機能部Ｆｄに、位置検出器１２により検出したフォーカスリング５の位置に基づき被写体までの距離（距離データＤｗ）を得る距離検出部１３を設ければ、被写体までの絶対値距離を容易に得ることができる。
【００１６】
（５）  好適な態様により、距離データＤｗを、距離の表示及び／又は距離に基づくストロボの制御に用いれば、被写体までの絶対値距離を利用できるため、特に、フラッシュ撮影において最適な撮影を行うことができるなど、機能性を高めることができる。
【００１７】
（６）  好適な態様により、検出機能部Ｆｄに、フォーカスリング５の回動変位の無検知に対して一定の遅延時間Ｔｒの経過を待って無検知を有効にする機能を設ければ、フォーカスリング５の操作中における短時間の回動停止等はキャンセルできるため、安定かつスムースにピント合わせを行うことができるなど、より使い勝手及び利便性を高めることができる。
【００１８】
（７）  好適な態様により、検出機能部Ｆｄに、フォーカスリング５の回動変位の速度Ｖｒを検出する変位速度検出機能を設け、かつ一部拡大表示機能部Ｆｅに、複数の拡大倍率により拡大表示可能な拡大表示機能を設けるとともに、制御機能部Ｆｃに、回動変位の速度Ｖｒが速いときに拡大倍率を小さくし、かつ回動変位の速度Ｖｒが遅いときに拡大倍率を大きくする倍率変更機能を設ければ、ピント合わせをより容易かつ確実に行うことができるとともに、迅速に行うことができる。
【００１９】
（８）  好適な態様により、デジタルカメラ本体２に、コントラスト方式の焦点調整機能を設けるとともに、この焦点調整機能における焦点調整用コントラスト信号の変化を利用することにより、フォーカスリング５の操作時の状態を複数のマーク１４ｐ，１５，１４ｑの点灯制御により表示部（３ａ，３ｂ）に表示するフォーカスエイド表示機能部Ｆｆを設ければ、一部拡大表示機能部Ｆｅによる拡大表示に対する補助表示として利用できるため、例えば、視力の弱い撮影者などであっても容易かつ確実にピント合わせを行うことができるなど、より利便性を高めることができる。
【図面の簡単な説明】
【００２０】
【図１】本発明の好適実施形態に係る交換レンズ式デジタルカメラにおける電気系のブロック回路図、
【図２】同交換レンズ式デジタルカメラにおけるデジタルカメラ本体から交換レンズを離脱した状態を示す外観側面図、
【図３】同交換レンズ式デジタルカメラにおけるデジタルカメラ本体に交換レンズを装着した状態を示す外観側面図、
【図４】同交換レンズ式デジタルカメラにおける表示部の表示画面図、
【図５】同交換レンズ式デジタルカメラの動作説明用タイミングチャート、
【図６】同交換レンズ式デジタルカメラの動作説明用フローチャート、
【図７】本発明の変更実施形態に係る交換レンズ式デジタルカメラにおける変位検出部の構成図、
【図８】本発明の他の変更実施形態に係る交換レンズ式デジタルカメラにおけるデジタルカメラ本体から交換レンズを離脱した状態を示す外観側面図、
【発明を実施するための形態】
【００２１】
次に、本発明に係る好適実施形態を挙げ、図面に基づき詳細に説明する。
【００２２】
まず、本実施形態に係る交換レンズ式デジタルカメラ１の構成について、図１〜図４を参照して説明する。
【００２３】
デジタルカメラ１は、図２及び図３に示すように、被写体画像Ａ（図４）を表示する比較的小型のビューファインダ部（表示部）３ａ及び比較的大型のモニタ表示部（表示部）３ｂを有する一眼レフタイプのデジタルカメラ本体２を備える。このデジタルカメラ本体２の前面２ｆには、交換レンズが着脱する複数の被係止爪を含むカメラ側マウント部６１を有し、このカメラ側マウント部６１には、後述するマウントアダプタ１１を介して交換レンズ４を着脱することができる。また、デジタルカメラ本体２の前面２ｆには、カメラ側マウント部６１にマウントアダプタ１１を装着した際のロックを解除するロック解除ボタン６２を備えるとともに、カメラ側マウント部６１には、交換レンズ４側に備える電気系回路との接続を行う回路接続部６３を備える。その他、デジタルカメラ本体２には、図２に現れるホットシュー６４やモードダイヤル６５をはじめ、図に現れないシャッタボタン等のデジタルカメラにおける一般的な装備を備えている。
【００２４】
このデジタルカメラ本体２には、例えば、現在でも名器といわれるレンズ性能の高い交換レンズ４などを装着（着脱）することができる。通常、この種の交換レンズはマニュアル操作タイプが多く、例示の交換レンズ４も、手で回し操作することによりズーミング調整を行うズーミングリング７２を備えるとともに、手で回し操作することによりピント合わせを行うフォーカスリング５を備えるマニュアル操作タイプである。また、５ｃは、レンズ鏡筒７１の後端から後方へ突出し、フォーカスリング５の回し操作に対応してレンズ鏡筒７１の軸方向に進退変位する背面カムである。例示の背面カム５ｃは平面カットによる端面に形成し、フォーカスリング５の回動変位に従って回動しながら進退変位するタイプである。なお、交換レンズには、背面カム５ｃが回動せずに進退変位するタイプや一部を傾斜面として形成するタイプなどが存在するが、いずれの場合も背面カムは軸方向に進退変位する。さらに、レンズ鏡筒７１の後端には複数の係止爪を含むレンズ側マウント部７３を有する。
【００２５】
一方、１１はマウントアダプタであり、全体をリング形に形成する。マウントアダプタ１１は、前面に、レンズ側マウント部７３が着脱する複数の被係止爪を含む前マウント部８１を有するとともに、後面に、前述したカメラ側マウント部６１に着脱する複数の係止爪を含む後マウント部８２を有する。このマウントアダプタ１１は、デジタルカメラ本体２と交換レンズ４間に介在させ、交換レンズ４をデジタルカメラ本体２に装着（着脱）させるためのアダプタである。したがって、前マウント部８１の形態はレンズ側マウント部７３の形態にマッチングするとともに、後マウント部８２の形態はカメラ側マウント部６１の形態にマッチングする。さらに、マウントアダプタ１１には、デジタルカメラ本体２に備える回路接続部６３に対して接続を行う回路接続部８３を備えるとともに、交換レンズ４のレンズ側マウント部７３を前マウント部８１に装着した際のロックを解除するロック解除レバー８４を備える。このように、交換レンズ４とデジタルカメラ本体２間に介在させることにより交換レンズ４をデジタルカメラ本体２に着脱するマウントアダプタ１１を使用すれば、交換レンズ４とデジタルカメラ本体２の組合わせを飛躍的に拡大させることができる。
【００２６】
また、マウントアダプタ１１には、前マウント部８１をレンズ側マウント部７３に装着した際に、交換レンズ４に備える背面カム５ｃの位置を検出する位置検出器１２を配設し、この位置検出器１２は回路接続部８３に接続する。位置検出器１２としては、背面カム５ｃの位置、特に、背面カム５ｃの後端部の軸方向（前後方向）の位置を検出できるものであれば、電気式，磁気式，光学式，機械式など、その検出原理は問わない。図１には、ヨーク１２ｙ及び検出コイル１２ｃにより磁気式に検出する位置検出器１２を一例として示す。この位置検出器１２は検出機能部Ｆｄの一部を構成する。このようなマウントアダプタ１１を使用すれば、本来、デジタルカメラ本体２側に追加する部品であってもマウントアダプタ１１に配することができるため、デジタルカメラ本体２側はソフトウェア上の変更のみで実施可能になるなど、より実施の容易化を図ることができる。また、このような位置検出器１２を設ければ、フォーカスリング５の位置や速度（位置を微分）を容易かつ確実に検出でき、しかも、マウントアダプタ１１に配設するこにより、位置検出器１２の種類に対する選定や配設時の自由度を高めることができる。
【００２７】
他方、図１はデジタルカメラ本体２の電気系のブロック回路を示す。２２はシステムコントローラであり、ＣＰＵやプログラムメモリ等を含むコンピュータ機能を有するシステムコントローラ本体２２ｏと、画像メモリを含むシステムメモリ２２ｍが付属する。また、２３は被写体を撮影する撮像素子となるＣＣＤであり、アナログ−デジタル変換器（Ａ／Ｄ）２４を介してシステムコントローラ本体２２ｏの画像入力ポートに接続する。一方、３ａは上述した被写体画像Ａを表示する小型液晶パネルを用いたビューファインダ部であり、表示ドライバ２５ａを介してシステムコントローラ本体２２ｏの表示出力ポートに接続するとともに、３ｂは同様の被写体画像Ａを表示する液晶パネルを用いたモニタ表示部であり、表示ドライバ２５ｂを介してシステムコントローラ本体２２ｏの表示出力ポートに接続する。また、２７はストロボ（発光部）であり、ストロボドライバ２６を介してシステムコントローラ本体２２ｏのストロボ制御ポートに接続するとともに、２８はカードスロットであり、システムコントローラ本体２２ｏに接続する。このカードスロット２８にはメモリカードをセットすることができる。以上が、デジタルカメラ本体２における電気系の基本的回路となる。
【００２８】
さらに、システムコントローラ２２には、前述した回路接続部６３を経由して付与される位置検出器１２からの検出信号を処理するとともに、処理後の信号をシステムコントローラ本体２２ｏに付与する検出処理部３１を備える。検出処理部３１は、交換レンズ４におけるフォーカスリング５の回動変位の有無を検知する変位検知部６を備えるとともに、位置検出器１２により検出したフォーカスリング５の位置に基づき被写体までの距離に係わる距離データＤｗを得る距離検出部１３を備える。このような距離検出部１３を設ければ、被写体までの絶対値距離を容易に得ることができる。この場合、検出処理部３１と位置検出器１２は検出機能部Ｆｄを構成する。また、検出機能部Ｆｄは、フォーカスリング５の回動変位の無検知に対して一定の遅延時間Ｔｒの経過を待って無検知を有効にする機能を有している。このような機能を設ければ、フォーカスリング５の操作中における短時間の回動停止等はキャンセルできるため、安定かつスムースなピント合わせを行うことができるなど、より使い勝手及び利便性を高めることができる。
【００２９】
一方、システムコントローラ本体２２ｏは、図４に示すように、ビューファインダ部３ａ及びモニタ表示部３ｂに表示される被写体画像Ａの一部Ａｐを拡大表示する一部拡大表示機能部Ｆｅを備えるとともに、変位検知部６によるフォーカスリング５の回動変位（背面カム５ｃの進退変位）の検知により拡大表示を行い、かつ当該回動変位の無検知により拡大表示を解除する制御機能部Ｆｃを備える。また、検出機能部Ｆｄには、フォーカスリング５の回動変位の速度Ｖｒを検出する変位速度検出機能を備え、かつ一部拡大表示機能部Ｆｅに、複数の拡大倍率により拡大表示可能な拡大表示機能を備えるとともに、制御機能部Ｆｃに、回動変位の速度Ｖｒが速いときに拡大倍率を小さくし、かつ回動変位の速度Ｖｒが遅いときに拡大倍率を大きくする倍率変更機能を備える。これにより、ピント合わせをより容易かつ確実に行うことができるとともに、迅速に行うことができる。
【００３０】
次に、本実施形態に係るデジタルカメラ１の使用方法及びこれに伴う各部の機能について、図１〜図５を参照しつつ図６に示すフローチャートに従って説明する。
【００３１】
最初に、交換レンズ４をデジタルカメラ本体２に装着（着脱）する方法について説明する。まず、図２に示すように、マニュアル操作タイプの交換レンズ４と、この交換レンズ４をデジタルカメラ本体２に装着するためのマウントアダプタ１１を用意する。そして、マウントアダプタ１１の後マウント部８２をデジタルカメラ本体２のマウント部６１における定位置に押し当て、一定角度となるロック位置まで回動変位させれば、マウントアダプタ１１側の係止爪がデジタルカメラ本体２側の被係止部に係止し、かつ係止は自動でロックされる。なお、ロックを解除するには、デジタルカメラ本体２のロック解除ボタン６２を押せばよい。次いで、交換レンズ４のマウント部７３をマウントアダプタ１１の前マウント部８１における定位置に押し当て、一定角度となるロック位置まで回動変位させれば、交換レンズ４側の係止爪がマウントアダプタ１１側の被係止部に係止し、かつ係止は自動でロックされる。なお、ロックを解除するには、マウントアダプタ１１のロック解除レバー８４を押せばよい。このように、マウントアダプタ１１を使用することにより、様々な交換レンズ４…をデジタルカメラ本体２に対して容易かつ確実に装着することができ、装着した際には、マウントアダプタ１１の回路接続部８３とデジタルカメラ本体２の回路接続部６３が接続状態となる。デジタルカメラ本体２に交換レンズ４を装着した状態のデジタルカメラ１を図３に示す。
【００３２】
次に、デジタルカメラ１の使用方法（撮影方法）について説明する。まず、デジタルカメラ本体２では、自動撮影モードを選択する（ステップＳ１）。これにより、絞り優先となり、シャッタースピードが自動で設定される。一方、交換レンズ４は、オートフォーカス機能を有していないため、ピント合わせは撮影者が行う必要がある。今、撮影者が撮影したい被写体を選び、その方向にデジタルカメラ１を向けた場合を想定する（ステップＳ２）。これにより、ビューファインダ部３ａ（モニタ表示部３ｂも同様）には被写体画像Ａが表示される。この場合の表示は、被写体画像Ａがそのまま表示されるノーマル表示となる（ステップＳ３）。
【００３３】
そして、撮影者は  ビューファインダ部３ａの被写体画像Ａを見ながらピントを合わせを行うことができる。この場合、撮影者がフォーカスリング５を回し操作すれば、フォーカスリング５の回動変位に対応して背面カム５ｃが軸方向に進退変位する。一方、この進退変位は、検出機能部Ｆｄにおける位置検出器１２により検出される。これにより、位置検出器１２からは位置検出信号Ｓｘが出力し、この位置検出信号Ｓｘは、回路接続部８３，６３を介して検出処理部３１に付与される。検出処理部３１では、変位検知部６により、背面カム５ｃの軸方向への進退変位の有無を検知する（ステップＳ４，Ｓ５）。この場合、位置検出信号Ｓｘを時間により微分して得る微分信号は、フォーカスリング５の回動変位の速度（速度データ）Ｖｒに対応するため、速度Ｖｒ（微分信号）の大きさを監視することにより背面カム５ｃの進退変位（フォーカスリング５の回動変位）の有無を判別することができる。即ち、速度Ｖｒが０であれば回動変位は無く、０以外であれば回動変位が有ることになる。このように、フォーカスリング５の回動変位の有無は容易に検知することができる。一方、回動変位が有ることを検知した場合には、検出処理部３１から変位検知信号Ｄｄを出力し、この変位検知信号Ｄｄはシステムコントローラ本体２２ｏに付与される。
【００３４】
システムコントローラ本体２２ｏでは、制御機能部Ｆｃにより、一部拡大表示機能部Ｆｅを制御することにより一部拡大表示機能部Ｆｅによる拡大表示を行う（ステップＳ６）。即ち、一部拡大表示機能部Ｆｅにより、図４に示すように、ビューファインダ部３ａに表示される被写体画像Ａの一部Ａｐを拡大画像にして当該被写体画像Ａの上に重ね表示する拡大表示を行う。この拡大表示により画像のボケが拡大されるため、撮影者は容易にピント合わせを行うことができる。そして、ピントが合ったらシャッタボタンを押せばよい（ステップＳ７，Ｓ８）。ところで、ピントを合わせる場合、通常、撮影者はフォーカスリング５を左右方向に反復的に回し操作するため、回し操作を行っている限り拡大表示は継続する（ステップＳ７，Ｓ４，Ｓ５…）。しかし、回し操作を止めれば、回動変位は検知されなくなるため、拡大表示は解除され、拡大表示の無い本来の被写体画像Ａがそのまま表示されるノーマル表示に復帰する（ステップＳ７，Ｓ４，Ｓ３）。
【００３５】
図５は、フォーカスリング５を回し操作した際における信号の処理状態を具体的に示す。例示の場合、検出機能部Ｆｄは、フォーカスリング５の回動変位の速度Ｖｒを検出する変位速度検出機能を備え、かつ一部拡大表示機能部Ｆｅに、複数の拡大倍率により拡大表示可能な拡大表示機能を備えるとともに、制御機能部Ｆｃに、回動変位の速度Ｖｒが速いときに拡大倍率を小さくし、かつ回動変位の速度Ｖｒが遅いときに拡大倍率を大きくする倍率変更機能を備える実施形態を示す。同図中、ｔｓはフォーカスリング５の回し操作を開始した時点、Ｖｒは位置検出信号Ｓｘから得る速度（位置の微分信号）、Ｖｒｕは右回転時の倍率切換判断値、Ｖｒｄは左回転時の倍率切換判断値、Ｔｓは倍率切換時の切換を有効にするための遅延時間、Ｔｒは倍率解除時の切換を有効にするための遅延時間をそれぞれ示している。
【００３６】
今、ｔｓ時点からフォーカスリング５を回し操作すれば、ｔ１時点で倍率切換判断値Ｖｒｕに達するため、比較的拡大倍率の小さい第一拡大倍率による拡大表示Ａｐａが行われる。ｔ１時点が経過し、ｔ２時点までは比較的速い速度Ｖｒにより回し操作するため、拡大表示Ａｐａが維持される。この場合、ｔ１時点〜ｔ２時点の間では倍率切換判断値Ｖｒｕ（Ｖｒｄ）よりも小さい期間が存在するが、設定した遅延時間Ｔｓよりも短くなるため、倍率切換判断値Ｖｒｕ（Ｖｒｄ）は有効にならない。一方、ｔ２時点を経過した以降の速度Ｖｒは倍率切換判断値Ｖｒｕ（Ｖｒｄ）以下となるため、ｔ２時点から遅延時間Ｔｓが経過したｔ３時点において比較的拡大倍率が大きい第二拡大倍率による拡大表示Ａｐｂが行われる。したがって、より遅い回し速度Ｖｒにより正確なピント合わせを行うことができる。また、ｔ４はピントが合った時点を示している。これにより、ｔ４時点を経過した以降は、回し操作が停止するため、ｔ４時点から遅延時間Ｔｒが経過したｔ５時点において拡大表示が解除される。これにより、ビューファインダ部３ａには拡大表示の無い被写体画像Ａがそのまま表示されるため、撮影者は全体のロケーション等を確認し、シャッタボタンを押せばよい。ｔ６はシャッタボタンを押した時点を示している。
【００３７】
このように、本実施形態に係るデジタルカメラ１によれば、任意のメーカーにおける最新のデジタルカメラ本体２に、名器といわれる古くからのマニュアル操作タイプの交換レンズ４を装着するような場合であっても、交換レンズ４におけるフォーカスリング５の操作に連動させてデジタルカメラ本体２における一部拡大表示機能部Ｆｅを制御できるため、一部拡大表示機能部Ｆｅを利用したピント合わせを容易かつ確実に行うことができる。
【００３８】
次に、他の各種機能について説明する。検出機能部Ｆｄにおける検出処理部３１には、位置検出器１２から位置検出信号Ｓｘが付与されるため、距離検出部１３により、被写体までの絶対値距離（距離データＤｗ）を得ることができる。即ち、フォーカスリング５（背面カム５ｃ）の位置に対応する位置検出信号Ｓｘが得られるため、この位置検出信号Ｓｘの大きさに対応する被写体までの絶対値距離を予め変換データベースとして設定しておけば、位置検出信号Ｓｘが得られた際には、この変換データベースを利用して、被写体までの絶対値距離に変換処理することができる。このように、フォーカスリング５（背面カム５ｃ）の位置に対応する位置検出信号Ｓｘにより、被写体までの絶対値距離（距離データＤｗ）を容易に得ることができる。
【００３９】
したがって、得られた距離データＤｗを、システムコントローラ本体２２ｏに付与することにより、距離の表示及び距離に基づくストロボの制御を行うことができる。距離データＤｗは、被写体までの絶対値距離となるため、例えば、図４に示すようにビューファインダ部３ａにおいて距離表示Ａｘ（例示は、３０ｍ）を行うことができる。また、距離データＤｗをストロボの制御に用いることもできる。即ち、被写体までの絶対値距離を利用してストロボの発光量を制御する。このように、検出機能部Ｆｄに、距離検出部１３を設ければ、被写体までの絶対値距離を容易に得ることができる。また、得られた距離データＤｗは、距離の表示や距離に基づくストロボの制御に用いることができるため、特に、フラッシュ撮影において最適な撮影を行うことができるなど、機能性をより高めることができる。
【００４０】
一方、デジタルカメラ本体２には、焦点調整方式として、コントラスト方式の焦点調整機能を設けるとともに、この焦点調整機能における焦点調整用コントラスト信号の変化を利用することにより、フォーカスリング５の操作時の状態を複数のマーク１４ｐ，１５，１４ｑの点灯制御により、ビューファインダ３ａに表示するフォーカスエイド表示機能部Ｆｆを備えている。コントラスト方式による焦点調整機能は、フォーカスリング５の回し操作に基づいてコントラストカーブにおけるアップ方向に位置するか、中立位置か、ダウン方向に位置するかを読み取ることができる。この場合、中立位置はピントが合った位置となる。したがって、焦点調整用コントラスト信号を読み取り、アップ方向の場合には、図４に示す右方向の矢印マーク１４ｐを赤色等により点灯又は点滅させるとともに、ダウン方向の場合には、図４に示す左方向の矢印マーク１４ｑを赤色等により点灯又は点滅させることができる。また、ピントの合った中立位置では中央に表示した丸マークを緑色等により点灯又は点滅させることができる。このようなフォーカスエイド表示機能部Ｆｆを設ければ、一部拡大表示機能部Ｆｅによる拡大表示に加え、この拡大表示に対する補助表示として利用することができるため、例えば、視力の弱い撮影者などであっても容易かつ確実にピント合わせを行うことができるなど、より利便性を高めることができる。
【００４１】
次に、本発明に係るデジタルカメラ１の変更実施形態について、図７及び図８を参照して説明する。
【００４２】
図７は、位置検出器１２の変更実施形態を示す。前述した位置検出器１２はヨーク１２ｙ及び検出コイル１２ｃを用いて磁気的に検出する場合を例示したが、図７は追従ローラ１２ｒ、この追従ローラ１２ｒを先端で回動自在に支持するレバー１２ｂ及びこのレバー１２ｂの後端を回動可能に支持し、このレバー１２ｂの後端の回動角度を検出する角度検出器１２ｄにより構成する位置検出器１２を示す。このように、位置検出器１２には背面カム５ｃの位置を検出する機能を有するものであれば、そのタイプは問わない。その他、図７において、図１〜図３と同一部分には同一符号を付してその構成を明確にするとともに、その詳細な説明は省略する。
【００４３】
図８は、マウントアダプタ１１を使用しない変更実施形態を示す。この場合、マウントアダプタ１１の機能をそのままデジタルカメラ本体２に設ける。具体的には、カメラ側マウント部６１の形態をレンズ側マウント部７３の形態にマッチングさせるとともに、カメラ側マウント部６１に、レンズ側マウント部７３に有する複数の係止爪が着脱する複数の被係止爪を設ける。また、カメラ側マウント部６１の近傍であってデジタルカメラ本体２の内部には、背面カム５ｃの後端位置を検出する位置検出器１２を配設する。このように、マウントアダプタ１１を使用しない場合には、デジタルカメラ本体２を交換レンズ４に対応させて設計変更する必要があるが、交換レンズ４は、直接、デジタルカメラ本体２に装着（着脱）することができる。その他、図８において、図１〜図３と同一部分には同一符号を付してその構成を明確にするとともに、その詳細な説明は省略する。
【００４４】
以上、好適実施形態（変更実施形態）について詳細に説明したが、本発明は、このような実施形態に限定されるものではなく、細部の構成，形状，素材，数量，手法等において、本発明の要旨を逸脱しない範囲で、任意に変更，追加，削除することができる。
【００４５】
例えば、変位検知部６及び距離検出部１３は、位置検出器１２から得られる位置検出信号Ｓｘを利用する場合を示したが、変位検知部６と距離検出部１３には、それぞれ目的に応じた二つの専用の位置検出器１２…を用いてもよい。また、回動変位の速度Ｖｒが速いときに拡大倍率を小さくし、回動変位の速度Ｖｒが遅いときに拡大倍率を大きくする二つの異なる倍率を設定した倍率変更機能を示したが、この場合の拡大倍率は一つであってもよいし三つ以上を設定してもよい。
【産業上の利用可能性】
【００４６】
本発明に係る交換レンズ式デジタルカメラ１は、被写体画像Ａを表示する表示部（３ａ，３ｂ）を有するデジタルカメラ本体２を備えるものであれば、一眼レフタイプのみならず、各種タイプのデジタルカメラ本体に利用することができる。また、交換レンズ４も特定のタイプに限定されるものではなく各種タイプの交換レンズに利用することができる。
【符号の説明】
【００４７】
１：交換レンズ式デジタルカメラ，２：デジタルカメラ本体，３ａ：表示部（ビューファインダ部），３ｂ：表示部（モニタ表示部），４：交換レンズ，５：フォーカスリング，５ｃ：背面カム，６：変位検知部，１１：マウントアダプタ，１２：位置検出器，１３：距離検出部，１４ｐ：マーク，１４ｑ：マーク，１５：マーク，Ｆｅ：一部拡大表示機能部，Ｆｄ：検出機能部，Ｆｃ：制御機能部，Ｆｆ：フォーカスエイド表示機能部，Ｄｗ：距離データ，Ａ：被写体画像，Ａｐ：被写体画像の一部，Ｔｒ：遅延時間，Ｖｒ：回動変位の速度
【図１】
2010197640.tif 000003
【図２】
2010197640.tif 000004
【図３】
2010197640.tif 000005
【図４】
2010197640.tif 000006
【図５】
2010197640.tif 000007
【図６】
2010197640.tif 000008
【図７】
2010197640.tif 000009
【図８】
2010197640.tif 000010